【事件の表示】
　平成１０年特許願第２３７４９３号「苗箱並べ機」拒絶査定に対する審判事件［平成１１年　４月２０日出願公開、特開平１１−１０３６８６］について、次のとおり審決する。
【結　論】
　本件審判の請求は、成り立たない。
【理　由】
１．手続の経緯・本願発明
　本願は、平成６年４月１９日に特許出願された特願平６−１０４５８５号の一部を分割出願して特願平１０−２３７４９３号としたものであって、その特許請求の範囲の請求項１に係る発明は、平成１２年２月１４日付け手続補正書、平成１２年５月１７日手続補正書により補正された明細書及び図面の記載からみて、特許請求の範囲の【請求項１】に記載された事項により特定される次のとおりのものである。
「【請求項１】苗箱を苗育成するために地面に並べる苗箱並べ機であって、機体の苗箱収納枠Ｈ，Ｈ内に上下に積み重ねて収容された複数段の苗箱Ｎ，Ｎ・・・から最下段の苗箱Ｎをその下方に取り出す取出装置４を設け、該取出装置４により取り出された苗箱Ｎを搬送装置７にて並べる位置まで搬送した後に地面上に並べる構成としたことを特徴とする苗箱並べ機。」（以下、「本願発明」という。）
２．引用刊行物
　原査定の拒絶の理由に引用した刊行物には、以下のとおりに記載されている。
（１）引用刊行物１；特開平５−３１６８７９号公報
　引用刊行物１には、「図１乃至図３に示す育苗箱の自動配置装置１は、積層された状態の・・・育苗箱２を載置し且つ昇降動する機構とした育苗箱載置台３と、この育苗箱載置台３の下方に配置されて・・・本装置１を前進させるキャタピラ４と、前記育苗箱載置台３の上方に配置されて育苗箱載置台３上に載置されている最上段の育苗箱２を対称位置の両端に設けた把持用体９、９′により把持するようにしたエアシリンダ１０と、このエアシリンダ１０と一体的に構成されて該エアシリンダ１０を図１中の矢印で示すように前記育苗箱載置台３の上方位置からベルトコンベア６の上方位置までの範囲に移動するエアシリンダ１１と、前記育苗箱載置台３の背面に立設された昇降動用シリンダ５の昇降動に伴って昇降動するベルトコンベア６と、このベルトコンベア６の裏面に配置されて該ベルトコンベア６の先端を水平位置から下方位置までの範囲内に傾斜駆動するエアシリンダ７と、前記ベルトコンベア６の先端に配置されて図１中の矢印方向へそれ自体の駆動源でもって回動するベルトコンベア８とを具備している。図中の符号５０は、全体が四角形状に枠組みされて立設された本実施例装置１の各支柱を示すものである。」（第３頁第３欄３４行〜第４欄６行）と記載され、「先ず、昇降機２１が育苗箱２の一枚分の厚さ分の距離だけ上昇し、この上昇に伴って育苗箱載置台３の最上部の育苗箱２も上昇する。そして、図６に示すように、育苗箱載置台３の最上部の育苗箱２、即ち、本実施例では５列合計５枚の各育苗箱２は、・・・エアシリンダ１０の把持用体９、９′をもって把持されて、この状態のままで、図７に示すように、昇降機２１が育苗箱２の一枚分の厚さだけ降下し育苗箱載置台３上の最上部の育苗箱２を降下させる。これにより、後述の如く、エアシリンダ１１の水平移動の円滑が図られる。その後、図８で示すように、エアシリンダ１１をもって、５枚の各育苗箱２を把持した状態のエアシリンダ１０の全体が図１中の矢印で示すように育苗箱載置台３の上からベルトコンベア６の上まで移動した後、図９で示すように、エアシリンダ１０の把持用体９、９′が育苗箱２の把持を解放して５枚の各育苗箱２をベルトコンベア６上に載置する。」（第４頁第６欄３２行〜同欄４８行）と記載され、「一方、前記エアシリンダ１１とエアシリンダ１０とが元の位置に復帰すると同時に、前記ベルトコンベアは、昇降動用シリンダ５の昇降動に伴って、図１０に示すように、装置１の下方位置まで降下し、該ベルトコンベア６の上面がその両端で拡開されている各補助プレート３６、３６′の上面と水平状態となる。この状態の下で、ベルトコンベア６が回動する。この時、当該ベルトコンベア６の回動方向は、先ず、本装置１の平面図である図３に図示する一方の補助プレート体３６上に各育苗箱２を搬送しつつ載置できる方向に回動する。」（第５頁第７欄５行〜１５行）と記載され、「次に、上記補助プレート体３６上への搬送が完了した時点で、ベルトコンベア８は、補助プレート体３６′上に各育苗箱２を搬送し載置べき方向に回動する。・・・図１に示すように、前記ベルトコンベア６、各補助プレート体３６、３６′の裏面に配置された各エアシリンダ７、３７をもってベルトコンベア６、各補助プレート３６、３６′の各先端が水平位置から下方に傾斜されて、前記ベルトコンベア６、各補助プレート３６、３６′の先端に配置されている各コンベア８、３８はその先端が接地状態となりながら図中の矢印方向へ回動開始する。・・・上記ベルトコンベア６、各補助プレート３６、３６′の各ベルトコンベア８、３８の回動開始と同時に、本装置１自体が図１の矢印に示す方向に移動開始する。このような状態下で、各ベルトコンベア６、各補助プレート３６、３６′上の・・・各育苗箱２は、図３で示すように、前記ベルトコンベア６、各補助プレート３６、３６′の先端に配置されている各ベルトコンベア８、３８の回動により各育苗箱２の送り出しの円滑を図りながら地面上に整列配置されることになる。」（第５頁第７欄３１行〜同頁第８欄１９行）と記載されている。
引用刊行物２；特開昭６１−１６２１１９号公報
（２）引用刊行物２には、「育苗箱供給装置４０には、リフター４１の上昇時における育苗箱組１０の最下側より２段目以上の育苗箱を保持する一つのチャッキング装置４２，４２が・・・配設されている。・・・一対のチャッキング装置４２，４２の一方のチャッキング装置４２・・・のエアシリンダ４２ａの下方にはリフター４１下降時におけるその上面に載置された１枚の育苗箱１１を払い出す、エアシリンダ４３ａを用いた払い出しプッシャ４３が配設されており、」（第２頁左下欄１９行〜右下欄１４行）と記載されている。
３．対比・判断
　本願発明（前者）と引用刊行物１に記載の発明（後者）とを対比すると、後者の「育苗箱の自動配置装置１」、「各支柱５０」、「エアシリンダ１０の把持用体９、９′」および「昇降動用シリンダ５、ベルトコンベア６、エアシリンダ７、ベルトコンベア８」は、前者の「苗箱並べ機」、「機体の苗箱収納枠Ｈ，Ｈ」、「苗箱枠内に上下に積み重ねて収容された複数段の苗箱Ｎ，Ｎから苗箱Ｎを取り出す取出装置４」および「搬送装置７」に相当することから、両者は、「苗箱を苗育成するために地面に並べる苗箱並べ機であって、機体の苗箱収納枠内に上下に積み重ねて収容された複数段の苗箱から苗箱を取り出す取出装置を設け、該取出装置により取り出された苗箱を搬送装置にて並べる位置まで搬送した後に地面上に並べる構成としたことを特徴とする苗箱並べ機。」の構成において一致するが、取出装置が、前者では、複数段の苗箱から最下段の苗箱をその下方に取り出すものであるのに対し、後者では、複数段の苗箱から最上段の苗箱を取り出すものである点で、両者は、相違する。
　しかしながら、例えば、引用刊行物２の記載からみて、引用刊行物２に記載の育苗箱供給装置４０には、「複数段の苗箱から最下段の苗箱をその下方に取り出す取出装置」が備えられているものと解されることから、複数段の苗箱から最下段の苗箱を取り出す取出装置は、引用刊行物２で示すように従来周知な技術手段と認められる。
　しかも、引用刊行物１に記載の発明において、上記従来周知な技術手段を適用し、苗箱の取出装置を前記周知なものにすることは当業者にとって格別な困難性を伴うことなく、当業者が容易に想到することができたものと認められる。
　そして、本願発明は、引用刊行物１に記載の発明と上記従来周知な技術手段とを寄せ集めて得られる発明に比して格別顕著な作用効果を奏するものとは認められない。
４．むすび
　したがって、本願の請求項１に係る発明は、引用刊行物１に記載の発明と上記従来周知な技術的手段とに基づいて当業者が容易に発明をすることができたものであるから、特許法第２９条第２項の規定に該当し、特許を受けることができない。
　よって、結論のとおり審決する。